【事件の表示】
　特願２００３−　８５７１１「ガス検出装置」拒絶査定不服審判事件〔平成１６年１０月２１日出願公開、特開２００４−２９４２１４〕について、次のとおり審決する。
【結　論】
　本件審判の請求は、成り立たない。
【理　由】
第１　手続の経緯 
　本願は、平成１５年３月２６日にされた特許出願（２００３年特許願第８５７１１号。以下「本件出願」という。）につき、平成１９年１月１８日付けで拒絶査定（発送日：同月２３日）されたところ、拒絶査定不服審判が平成１９年２月２２日に請求されたものである。
　　　　　　　　　　　
第２　本件出願に係る発明
　本件出願の請求項１〜請求項４に係る発明は、平成１８年１１月７日付け手続補正書により補正された特許請求の範囲の記載からみて、特許請求の範囲の請求項１〜請求項４に記載された事項により特定されるとおりのものであって、その請求項１に係る発明（以下、「本願発明」という。）は次のとおりのものと認める。
　
「【請求項１】光源と、光センサ素子と、前記光源から放射された光が直接前記光センサ素子に到達することを防止する遮蔽板とを同一パッケージ内に備え、前記光源と前記光センサとは同一の回路チップ上に搭載されているものであって、前記光源から放射された光を反射して前記光センサ素子に到達するように配置された反射板を備え、前記反射板と前記光源及び前記光センサ素子との間の空間に被測定ガスを流入させ、前記被測定ガスによる光の吸収の度合いを前記光センサにより検出するように構成したことを特徴とするガス検出装置。」
　　　　　　　　　　　　
第３　引用刊行物の記載
（３Ａ）原査定の拒絶の理由に引用された引用文献（特開平９−２２９８５８号公報、以下「引用刊行物Ａ」という。）には、次の事項が図面とともに記載されている。（下線は当審により付加されたものである。）
（３Ａ−１）「【請求項１】　凹面反射鏡を対向させて配置し、一方の凹面反射鏡側から他方の凹面反射鏡側に向けて赤外光が出射するように光源を設け、この光源から出射された赤外光が前記両凹面反射鏡間で多重反射した後、その反射光束が集束する位置またはその近傍に受光器を設け、前記両凹面
反射鏡間の空間に被測定ガスを含むガスを流入させ、その特性吸収の度合を測定するよう構成した
赤外線ガス分析計
（３Ａ−２）「【０００１】
【発明の属する技術分野】この発明は、空調制御用ガスセンサやガス管理区域内に設置されるガス警報機あるいはガス濃度測定器などに使用される赤外線ガス分析計に関する。」
（３Ａ−３）「【０００５】この発明は、上述の事柄に留意してなされたもので、その目的は、
小型化および構造の簡素化を図ることができる赤外線ガス分析計を提供することにある
（３Ａ−４）「【０００９】図１〜図４において、１は、金属製の上部ケース１ａ，金属製の下部ケース１ｂからなる１つの金属ケースで、上部ケース１ａの内面に楕円形状の単一のミラー（凹面反射鏡の一例）２が形成されている。・・・
・・・
【００１１】４は光源で、例えばタングステンランプであり、後述する回路基板１３上に配置されている。・・・
【００１２】５は、回路基板１３上に光源４と並べて配置されている受光器で、・・・あり、この受光器５はデュアルツインタイプに構成されている。
【００１３】また、受光器５の前面（受光器５の入射側）には、２種類（中心波長３．７μｍと４．３μｍ）の狭帯域透過型の光学フィルタＦが設置されている。この光学フィルタＦは、２種類の特性を有するフィルタＦ１，Ｆ２からな・・・る。この２種類の光学フィルタＦ１，Ｆ２は、後述するもう１つの楕円形状の単一のミラー（凹面反射鏡の一例）１６に形成された光学フィルタ設置用穴１８（図１参照）に設置される。
【００１４】１３は回路基板で、
この回路基板１３上に、光源４と受光器５が直上の楕円反射鏡１６に対向させる形で配置されている
光源４から楕円反射鏡２に向かって放射状に出射された赤外光
が、楕円反射鏡２で反射して
続いて楕円反射鏡１６で反射し
再度楕円反射鏡２で反射するよう多重反射を繰り返した後集束するよう配置されている
・・・
【００１６】１６は、前記光学フィルタを搭載する楕円反射鏡１６で、赤外光を遮蔽する機能も有する。この楕円反射鏡１６は、光源４および受光器５に対応する位置にそれぞれ、赤外光の通過穴１７および前記光学フィルタＦが設置される穴１８を有する。・・・
【００１７】以下動作について説明する。図３において、
光源４から
楕円反射鏡２に向かって放射状に出射された赤外光
は楕円反射鏡２で反射して
反射光
が受光器５に集光される
光源４から出た光束は
折り返すことになり
光路長（吸収長）を得ることができる
赤外吸収に係る光路
を大きくとれる
（３Ａ−５）「【００１９】また、
光源４と受光器５を１つの回路基板１３上に設置できる
（３Ａ−６）また、図１、図３には、楕円反射鏡１６が回路基板上の光源４と受光器５を覆うカバーの形状を有することが描かれている。
　
　上記引用刊行物Ａの摘記事項（３Ａ−１）〜（３Ａ−６）の記載を参照すると、上記引用刊行物Ａには、
「光源４と、受光器５と、
　光源４から出射された赤外光を多重反射して受光器５に集束させる楕円反射鏡２、１６とを備え、
　光源４と受光器５が回路基板１３上に直上の楕円反射鏡１６に対向させる形で配置され、　
　楕円反射鏡２、１６間の空間に被測定ガスを含むガスを流入させ、その赤外吸収の度合を測定するよう構成した赤外線ガス分析計。」
　の発明（以下、「引用発明」という。）が記載されているものと認める。
　　　　　　　　　　　　　　　　　
（３Ｂ）原査定の拒絶の理由に引用された引用文献（特開平１１−５１７６１号公報、以下「引用刊行物Ｂ」という。）には、次の事項が図面とともに記載されている。（下線は当審により付加されたものである。）
（３Ｂ−１）「【請求項１】半導体基板上にフィラメントが形成されるとともにダイアフラム構造あるいはマイクロブリッジ構造を形成してなる
赤外線光源と
赤外線検出器とが同一のパッケージ内に実装されてなる
【請求項２】前記
赤外線光源と前記赤外線検出器とが同一の半導体基板上に形成された
【請求項３】
請求項１あるいは請求項２に記載の赤外線デバイスと赤外線を反射させる反射部材とを対向配置してなり、前記赤外線デバイスと前記反射部材との間に検出対象ガスを存在させ、前記赤外線デバイスの赤外線光源から放射された赤外線の前記反射部材による反射を前記赤外線検出部で検出する
（３Ｂ−２）「【０００４】本発明は、上記の点に鑑みてなしたものであり、その目的とするところは、赤外線光源及び赤外線検出器からなる
小型の赤外線デバイス及びこれを用いたガス検出器を提供することにある
（３Ｂ−３）「【００１５】図５は本発明の他の実施形態に係る赤外線デバイスの概略構成を示す断面の模式図である。本実施形態では、上述の実施形態に係る赤外線光源１及び赤外線検出器２を同一のシリコン基板上に一体形成したものである。
【００１６】本実施形態によれば、
赤外線光源１及び赤外線検出器２を同一のシリコン基板上に一体形成
より一層小型化が可能
（３Ｂ−４）「【００１７】図６は本発明の更に他の実施形態に係るガス検出器を示す模式図である。本実施形態のガス検出器は、上述した本発明の赤外線デバイス４と赤外線を反射させる反射部材としての反射ミラー５とを対向配置してなるものであり、赤外線デバイス４と反射ミラー５との間に検出対象ガス６を存在させるようにしている。赤外線デバイス４の赤外線光源から放射された赤外線は、検出対象ガス６を通過した後、反射ミラー５で反射され、再度、検出対象ガス６を通過し赤外線デバイス４の赤外線検出器で検出されるようになっている。検出対象ガス６の濃度が高いと、検出対象ガス６を通過したときに吸収される量が多くなることから、この検出された赤外線により検出対象ガス６の濃度を検出できるのである。」
（３Ｂ−５）「【００２１】
【発明の効果】以上のように、請求項１に記載の赤外線検出器によれば、半導体基板上にフィラメントが形成されるとともにダイアフラム構造あるいはマイクロブリッジ構造を形成してなる赤外線光源と、半導体基板と支持膜によりダイアフラム構造あるいはマイクロブリッジ構造を形成してなり支持膜上に
赤外線検出部が形成された赤外線検出器とが同一のパッケージ内に実装されてなるようにしたので
小型の赤外線デバイスが提供できた
・・・
【００２３】請求項３に記載のガス検出器によれば、請求項１あるいは請求項２に記載の赤外線デバイスと赤外線を反射させる反射部材とを対向配置してなり、前記赤外線デバイスと前記反射部材との間に検出対象ガスを存在させ、前記赤外線デバイスの赤外線光源から放射された赤外線の前記反射部材による反射を前記赤外線検出部で検出することにより前記検出対象ガスの濃度を検出するようにすれば、
赤外線光源と赤外線検出器とが１つのパッケージ内にあるので、軸合わせが容易になるとともに、組み立てコストの低減化を図ることができ・・・る
　　　　　　　　　　　　　　　
第４　対比・判断 
（４−１）本願発明と引用発明とを対比する。 
（i）引用発明の（ａ）「光源４」、（ｂ）「受光器５」がそれぞれ本願発明の（ａ’）「光源」、（ｂ’）「光センサ素子」に相当する。
（ii）引用発明の「回路基板１３」と本願発明の「回路チップ」とは、「回路支持体」である点で共通する。
　そして、引用発明の「回路基板１３」には、光源４と受光器５が配置されていることから、引用発明の「光源４と受光器５が回路基板１３上」「に配置され」ることと、本願発明の「前記光源と前記光センサとは同一の回路チップ上に搭載されている」こととは、「光源と光センサとは同一の回路支持体上に搭載されている」点で共通するものである。
（iii）引用発明の「楕円反射鏡２、１６」が、本願発明の「反射板」に相当する。そして、引用発明の「楕円反射鏡２、１６」は、光源４から出射された赤外光を多重反射して受光器５に集束させていることから、本願発明の「反射板」と同様に、「光源から放射された光を反射して光センサ素子に到達するように配置された」ものである。
（iv）引用発明の「赤外線ガス分析計」が本願発明の「ガス検出装置」に相当する。
　そして、引用発明の「赤外線ガス分析計」は、楕円反射鏡２、１６間の空間に被測定ガスを含むガスを流入させ、その赤外吸収の度合を測定するよう構成されていることから、引用発明の「赤外線ガス分析計」と本願発明の「ガス検出装置」とは、「空間に被測定ガスを流入させ、被測定ガスによる光の吸収の度合いを光センサにより検出するように構成した」点で共通する。
　　　　　
　そうすると、本願発明と引用発明とは、
「光源と、光センサ素子とを備え、
　前記光源と前記光センサとは同一の回路支持体上に搭載されているものであって、
　前記光源から放射された光を反射して前記光センサ素子に到達するように配置された反射板を備え、
　空間に被測定ガスを流入させ、前記被測定ガスによる光の吸収の度合いを前記光センサにより検出するように構成したガス検出装置。」である点で一致し、次の相違点（ア）〜相違点（ウ）で相違している。
　　
・相違点（ア）
　本願発明では、光源と、光センサ素子のほかに、「光源から放射された光が直接光センサ素子に到達することを防止する遮蔽板」をさらに備え、「光源と、光センサ素子と、前記光源から放射された光が直接前記光センサ素子に到達することを防止する遮蔽板とを同一パッケージ内に備え」るよう構成されているのに対して対して、引用発明にはそのような構成を備えていない点。
　　
・相違点（イ）
　光源と光センサが搭載される同一の回路支持体が、本願発明では「回路チップ」であるのに対して、引用発明では「回路基板」である点。
　　
・相違点（ウ）
　被測定ガスを流入させる空間が、本願発明では「反射板と光源及び光センサ素子との間の空間」であるのに対して、引用発明では「楕円反射鏡２、１６間の空間」である点。
　　
（４−２）当審の判断
　上記相違点（ア）〜相違点（ウ）について判断する。
・相違点（ア）について
　上記引用刊行物Ｂの摘記事項（３Ｂ−１）には、赤外線光源と赤外線検出器が同一のパッケージ内に実装されてなる赤外線デバイスと、赤外線を反射させる反射部材とを対向配置してなり、前記赤外線デバイスと前記反射部材との間に検出対象ガスを存在させ、前記赤外線デバイスの赤外線光源から放射された赤外線の前記反射部材による反射を前記赤外線検出部で検出することにより前記検出対象ガスの濃度を検出するようにしたガス検出器が記載されており、このように赤外線光源と赤外線検出器が同一のパッケージ内にあると軸合わせが容易になるとともに組み立てコストの低減化や検出器の小型化が図れることが記載されている（上記摘記事項（３Ｂ−５）の記載参照）。
　上記引用刊行物Ｂに記載のガス検出器は、光源と赤外線検出器が同一の支持体に搭載され、赤外線光源から放射された赤外線を反射部材により反射して赤外線検出器で検出している点で、引用発明の赤外線ガス分析計と共通するものであり、また、装置の小型化を目的としている点でも引用発明と共通している（上記引用刊行物Ａの摘記事項（３Ａ−３）の記載、上記引用刊行物Ｂの摘記事項（３Ｂ−２）、（３Ｂ−３）の段落【００１６】、（３Ｂ−５）の段落【００２１】の記載参照）ことから、引用発明の赤外線ガス分析計において、装置のさらなる小型化と構造の簡素化をめざして光源４と受光器５とを同一のパッケージ内に実装することは、上記引用刊行物Ｂに記載の構成を採用して当業者が容易になし得ることである。
　また、光源と受光器とを同一のパッケージ内に実装した場合、光源４からの赤外光が直接受光器に入射することを防ぐために光源４と受光器５の間に遮蔽板を設けることはノイズ防止の観点からみて当然のことであり、さらに、光源と受光器の間に遮蔽板を設けることは周知技術（例えば、特開昭６２−８５４７９号公報の第３図の遮蔽板１０３を参照）として知られていることから、引用発明の光源４と受光器５を備えた赤外線ガス分析計において、光源４と受光器５とを同一パッケージ内に実装した場合にさらに、光源から放射された光が直接受光器に到達することを防止する遮蔽板を同一パッケージ内に備えるようにすることは、当業者が容易になし得ることである。　　
　
・相違点（イ）について
　原査定の拒絶の理由で周知技術としてなお書きで引用された特開平９−８９７７３号公報（以下、「引用刊行物Ｃ」という。）には、「
超小型の赤外線ガス分析計を提供する
赤外光源・・・
よび赤外線検出器からなる分析部を形成し
ステム上に載せてワンチップ化
第３のシリコンウェハ３０は
シリコンウェハ３０１には
マイクロ赤外光源３１が設けられ
シリコンウェハ３０２に
赤外線センサアレイ３２が設けられている
上記３枚のシリコンウェハ１０，２０，３０はこの順に重ね合わせられ
分析部Ｘとする。この分析部ＸをステムＹに載せ、チップマウント技術によってプリアンプなどとともにワンチップ化」（２頁２欄３１行〜３頁３欄７行）
　そうすると、小型化するために、光源と受光器を同一の回路チップ上に搭載することは周知の技術事項といえる。
　そして、引用発明の赤外線ガス分析計は、小型化および構造の簡素化を図る目的で光源と受光器を同一の回路基板上に設けている（上記摘記事項（３Ａ−３）、（３Ａ−５）の記載参照）ことからみて、引用発明において、装置のさらなる小型化と簡素化を目指して光源と受光器とを同一の回路基板に搭載する代わりに、同一の回路チップに搭載することは、当業者であれば容易になし得ることである。
　　
・相違点（ウ）について
　本件出願の明細書の段落【００２５】には「測定時には、通気口７を通して、測定対象雰囲気のガスがパッケージ９と反射板６の間の空間に導入される。」ことが記載されており、さらに、本願発明の光源と光センサ素子とは、同一パッケージ内に備えられていることから、本願発明の「反射板と光源及び光センサ素子との間の空間」に被測定ガスを流入させた際に、直接被測定ガスと接触するのは反射板とパッケージであり、本願発明において、被測定ガスを流入させる空間が、「反射板と光源及び光センサ素子との間の空間」であることは、被測定ガスを流入させる空間が、反射板と、パッケージを介した光源及び光センサ素子との間の空間を意味することは明らかである。
　他方、引用発明では、楕円反射鏡２、１６間の空間に被測定ガスを含むガスを流入させているが、光源４と受光器５が回路基板１３上に直上の楕円反射鏡１６に対向させる形で配置されていることから、引用発明も楕円反射鏡２と、楕円反射鏡１６を介した光源４及び受光器５２との間の空間に、被測定ガスを流入させていることは明らかである。そして、上記引用刊行物Ａの摘記事項（３Ａ−６）に記載されているように、楕円反射鏡１６が回路基板上の光源４と受光器５を覆うカバーの形状を有し、さらに引用発明の楕円反射鏡１６は、光源４と受光器５が回路基板１３上に直上の楕円反射鏡１６に対向させる形で配置されていることから、引用発明の楕円反射鏡１６がパッケージの機能を有し、パッケージ内に光源４と受光器５を備えることになり、被測定ガスを流入させ空間において、引用発明と本願発明とに実質的な差異がないことになる。
　　　　　　
　そして、本願発明によってもたらされる効果は、引用発明、引用刊行物Ｂに記載された発明及び周知の技術事項から予測される範囲内のものであって、格別のものではない。 
　したがって、本願発明は、引用発明、引用刊行物Ｂに記載された発明及び周知の技術事項に基づいて当業者が容易に発明をすることができたものである。
　　　　　　　　　　　　
第５　むすび 
　以上のとおりであるから、本願発明は、特許法第２９条第２項の規定により特許を受けることができないものであり、その余の請求項に係る発明について検討するまでもなく、本件出願は、拒絶をすべきものである。 
　よって、結論のとおり審決する。